(57)【要約】【課題】テントの使用中にテント内に虫などが侵入してくるのを適切に回避することができる屋外遊戯用の組み立て式テントを提供する。【解決手段】屋外の遊戯場所を覆って直射光を遮ると共に遊戯者が出入りするための遊戯者用出入口が開かれた状態で組み立てられるテント本体１と、遊戯者用出入口を遊戯者の出入りが可能となるようにして塞ぐ虫避け用網状シート２とを備えている屋外遊戯用の組み立て式テント。【選択図】図９
0003120489.tif 000002
【実用新案登録請求の範囲】
【請求項１】
屋外の遊戯場所を覆って直射光を遮ると共に遊戯者が出入りするための遊戯者用出入口が開かれた状態で組み立てられるテント本体と、前記遊戯者用出入口を遊戯者の出入りが可能となるようにして塞ぐ虫避け用網状シートと、を備えている屋外遊戯用の組み立て式テント。
【請求項２】
前記虫避け用網状シートは、前記遊戯者用出入口を虫避け用網状シートにより捲り上げ可能に塞ぐ構成とした請求項１に記載の屋外遊戯用の組み立て式テント。
【請求項３】
前記虫避け用網状シートが、前記テント本体の遊戯者用出入口の形状・大きさに合わせて整形されており、前記虫避け用網状シートの周縁部と前記テント本体における遊戯者用出入口の周縁部に沿って面ファスナーがそれぞれ取着されていて、この面ファスナーの結合により、前記虫避け用網状シートが前記テント本体に取り付けられることによって前記虫避け用網状シートが遊戯者用出入口を塞ぐと共に、前記面ファスナーの結合の一部解除によって前記虫避け用網状シートの捲り上げが可能となる構成とした請求項２に記載の屋外遊戯用の組み立て式テント。
【請求項４】
前記遊戯者用出入口は、下側が前記テント本体の設置面に対して開放されるようにして設けられると共に、前記虫避け用網状シートが上方から前記テント本体の設置面まで垂れ下がって前記遊戯者用出入口を塞ぐ構成とした請求項１〜３のいずれか１項に記載の屋外遊戯用の組み立て式テント。
【請求項５】
前記テント本体が、このテント本体の設置面に広げ置かれる下敷きシートと、前記テント本体の設置面上方に広げ張られる天幕シートとを有するのに加え、前記テント本体は、前記下敷きシートの側に前記天幕シートの側が結合されて組み立てられる構成とした請求項１〜４のいずれか１項に記載の屋外遊戯用の組み立て式テント。
【考案の詳細な説明】
【技術分野】
【０００１】
本考案は組み立て式テントに関し、例えば子供の水浴び等に用いられるプールなどが置かれるベランダや玄関といった屋外の遊戯場所を覆って直射光を遮る屋外遊戯用の組み立て式テントに関する。
【背景技術】
【０００２】
従来、真夏の暑い日に子供らが水浴びをして遊ぶ水浴び用のプールが置かれるベランダや玄関先など、屋外の水浴び場所（遊戯場所）に張設される屋外遊戯用の組み立て式テントがある。従来の組み立て式テントは、図１０に示すように、水浴びをする子供らが日焼けしないように屋外の水浴び場所を覆って直射光を遮ると共に、子供ら（遊戯者）が出入りするための水浴び者用出入口（遊戯者用出入口）８２が開いた状態で組み立てられるテント本体８１を備える。
【０００３】
この従来の組み立て式テントの場合、テント本体８１が水浴び場所に組み立てられた後、テント本体８１の内に水浴び用のプールＰが持ち込まれる。水浴び用のプールＰに漬かって遊ぶ子供らは、水浴び者用出入口８２から出入りする。水浴びをしている間、テント本体８１が直射光（日光）を遮るので、子供らは日焼けすることなく水浴びができる。
【考案の開示】
【考案が解決しようとする課題】
【０００４】
しかしながら、上記従来の組み立て式テントは、水浴び者用出入口８２からテント内に虫が侵入してくる恐れがあるという問題がある。蚊やアブの他に蜂などの虫が、水浴び者用出入口８２からテントの中に入ってくるおそれが常にある。テントの中で水浴び中の子供らは殆ど裸であるから、侵入した虫に刺されたりする可能性が大きい。
【０００５】
そこで、本考案は上記実情に鑑みてなされたものであり、その課題は、テント使用中に、テント内に虫などが侵入してくるのを適切に回避することができる屋外遊戯用の組み立て式テントを提供することにある。
【課題を解決するための手段】
【０００６】
上記課題は、各請求項記載の考案により達成される。すなわち、本考案に係る屋外遊戯用の組み立て式テントは、屋外の遊戯場所を覆って直射光を遮ると共に遊戯者が出入りするための遊戯者用出入口が開いた状態で組み立てられるテント本体と、前記遊戯者用出入口を遊戯者の出入りが可能となるようにして塞ぐ虫避け用網状シートと、を備えていることを特徴とする。
【０００７】
この構成によれば、本考案の屋外遊戯用の組み立て式テント（以下、適宜「組み立て式テント」と略記）が使用される場合、先ず、テント本体が、屋外の遊戯場所を覆って直射光を遮ると共に、遊戯者が出入りするための遊戯者用出入口が開いた状態で組み立てられる。そして、遊戯者用出入口は虫避け用網状シートによって塞がれるのに加え、虫避け用網状シートは遊戯者用出入口を遊戯者の出入りが可能となるようにして塞いでおり、遊戯者は特に支障なくテントを出入りできる。
【０００８】
すなわち、この組み立て式テントの場合、屋外の遊戯場所を覆って直射光を遮っているテント本体に開いた遊戯者用出入口は、虫避け用網状シートにより遊戯者の出入りが可能となるようにして塞がれる結果、テントの使用中、遊戯者用出入口からテント内に虫が侵入してくる恐れがなくなる。
【０００９】
また、虫避け用網状シートは、内側から外側あるいは外側から内側が透けて見えるので、虫避け用網状シートがテント内から外を見たり、外からテント内を見たりする際に、虫避け用網状シートが妨げになることもない。網状シートは、虫の侵入を防止できると共に網状シートを通してテント内外を視認できれば、その目の細かさ、網目の形状などは、特に限定されるものではない。
【００１０】
よって、本考案の屋外遊戯用の組み立て式テントによれば、テントの使用中にテント内に虫などが侵入してくるのを適切に回避することができる。
【００１１】
本考案の好ましい実施形態として、前記虫避け用網状シートは、前記遊戯者用出入口を虫避け用網状シートにより捲り上げ可能に塞ぐ構成とした形態が挙げられる。
【００１２】
この実施形態によれば、遊戯者がテントを出入りする際は、虫避け用網状シートを捲り上げることにより、遊戯者は遊戯者用出入口を通って容易に出入りできる。
【００１３】
本考案の他の好ましい実施形態として、前記虫避け用網状シートが、前記テント本体の遊戯者用出入口の形状・大きさに合わせて整形されており、前記虫避け用網状シートの周縁部と前記テント本体における遊戯者用出入口の周縁部に沿って面ファスナーがそれぞれ取着されていて、この面ファスナーの結合により、前記虫避け用網状シートが前記テント本体に取り付けられることによって前記虫避け用網状シートが遊戯者用出入口を塞ぐと共に、前記面ファスナーの結合の一部解除によって前記虫避け用網状シートの捲り上げが可能となる構成とした形態が挙げられる。
【００１４】
この実施形態によれば、虫避け用網状シートにより遊戯者用出入口を塞ぐ際は、虫避け用網状シートをテント本体の出入口に合わせながら、虫避け用網状シートと遊戯者用出入口の周縁部に沿ってそれぞれ取着されている面ファスナーを結合させて、虫避け用網状シートをテント本体に取り付ける。また、虫避け用網状シートの捲り上げを可能とする際は、虫避け用網状シートとテント本体との間の面ファスナーの結合を部分的に解除して、虫避け用網状シートをテント本体から一部だけ取り外す。したがって、虫避け用網状シートにより遊戯者用出入口を塞ぐのも容易であるし、虫避け用網状シートの捲り上げを可能とするのも容易となる。
【００１５】
本考案の他の好ましい実施形態として、前記遊戯者用出入口は、下側が前記テント本体の設置面に対して開放されるようにして設けられると共に、前記虫避け用網状シートが上方から前記テント本体の設置面まで垂れ下がって前記遊戯者用出入口を塞ぐ構成とした形態が挙げられる。
【００１６】
この実施形態によれば、遊戯者用出入口は下側がテント本体の設置面に対して開放されるので、遊戯者がテントを容易に出入りできるうえ、虫避け用網状シートが上方からテント本体の設置面まで垂れ下がって来て遊戯者用出入口を塞ぐので、遊戯者用出入口から虫が侵入するのを確実に阻止できる。
【００１７】
本考案の他の好ましい実施形態として、テント本体が、テント本体の設置面に広げ置かれる下敷きシートと、テント本体の設置面上方に広げ張られる天幕シートを有するのに加え、テント本体は、下敷きシートの側に天幕シートの側が結合されたかたちで組み立てられる構成とした形態が挙げられる。
【００１８】
この実施形態によれば、テント本体の設置面に広げ置かれる下敷きシートの側に、テント本体の設置面上方に広げ張られる天幕シートの側が結合されるので、下敷きシートの上に置かれる（例えば、水が満たされた水浴び用プールのような）重量物によって、下敷きシートの側だけでなく天幕シートの側も固定されることになり、テントが風で飛ばされるようなことがなくなる。
【考案を実施するための最良の形態】
【００１９】
図１は、本考案の実施形態である屋外遊戯用の組み立て式テントのテント本体の組み立て状態を示す斜視図、図２は本考案の実施形態の組み立て式テントの虫避け用網状シートを示す平面図である。
【００２０】
この組み立て式テントは、図１に示すテント本体１を備えているのに加えて、図２に示す虫避け用網状シート２を備える。
【００２１】
テント本体１は、例えば子供らが水浴び等をして遊ぶ子供用の折り畳み式のプールが置かれるベランダや玄関先といった屋外の遊戯場所を覆って直射光を遮ると共に、遊戯者が出入りするための遊戯者用出入口１Ａ〜１Ｄが開いた状態で組み立てられる。テント本体１の場合、図１に示すように、正面および背面と左右の両側面の遊戯者用出入口１Ａ〜１Ｄが四方に開かれる。通常、遊戯者は、下敷きシート３のエプロン３Ａのある正面の遊戯者用出入口１Ａを使って出入りする。
【００２２】
テント本体１は、図３に示す円形状の下敷きシート３と、図４に示す二本のグラスファイバー製の骨材用ロッド４と、図５に示す天幕シート５とを有する。テント本体１の設置面に広げ置かれる下敷きシート３は、薄い防水性シート（例えばポリエチレン樹脂製シート）であり、下敷きシート３の周方向に沿って等間隔で４箇所に、骨材用ロッド４の各端部４ａが嵌め込める有底のロッド係止孔３ａがそれぞれ付設されている。骨材用ロッド４は可撓性を有しており、簡単にアーチ状に屈曲させられる構成とされている。
【００２３】
テント本体１の設置面上方に広げ張られる天幕シート５は、例えばポリエステル樹脂製であって、図５に示すように、その全体の形状が、外側へ向かって半島状に突き出た伸延ピース５Ａを４隅に有した略正方形様をしており、天幕シート５の中央と各伸延ピース５Ａの先端部の計五箇所に係止用紐５ａ，５ｂが取り付けられている。
【００２４】
このテント本体１の場合、組み立ての際に、下敷きシート３を床面や地面に拡げて置いて、図６に示すように、二本の骨材用ロッド４の各端部４ａをロッド係止孔３ａに嵌め込んで係止させることにより、骨材用ロッド４がアーチ頂上において十字状に交差した状態で、アーチ状に弾性変形させられる。
【００２５】
このように、骨材用ロッド４をアーチ状に変形させた状態で、先ず、天幕シート５の中央の係止用紐５ａで両骨材用ロッド４を束ね括ることにより、天幕シート５の中央をアーチ頂上に係止させる。ロッド係止孔３ａは有底であるので、骨材用ロッド４の各端部４ａはロッド係止孔３ａの位置に係止されると同時に、係止用紐５ａにより両骨材用ロッド４の中央が固定されるので、二本の骨材用ロッド４がアーチ頂上において十字状に交差した状態でアーチ状に変形させられ、そのままの形状が維持させられる。
【００２６】
次に、天幕シート５を骨材用ロッド４の上に拡げた状態で天幕シート５の各伸延ピース５Ａの先端部の係止用紐５ｂを、順次、アーチ基部側に近い位置に括りつけると、一応、テント本体１が組み上がる。
【００２７】
さらに、テント本体１の場合、下敷きシート３の側に天幕シート５の側をしっかり結合させておくために、図３に示すように、下敷きシート３の各ロッド係止孔３ａの傍らにリード帯付きリング３ｂが、それぞれ付設されているのに加え、図５に示すように、天幕シート５の係止用紐５ｂの先に、リード紐付きフック５ｃがそれぞれ付設されている。
【００２８】
続いて、図７に示すように、各リード帯付きリング３ｂに各リード紐付きフック５ｃをそれぞれ引っ掛けて、下敷きシート３の側に天幕シート５の側をしっかり結合させると、テント本体１の組み立てが完了する。
【００２９】
テント本体１の場合、上記したように、二本の骨材用ロッド４の各端部４ａを下敷きシート３のロッド係止孔３ａに嵌め込んで係止させることにより、骨材用ロッド４がアーチ頂上において十字状に交差した状態でアーチ状に変形させられると共に、アーチ状に変形させた骨材用ロッド４に天幕シート５を拡げた状態で係止するのに加え、リード帯付きリング３ｂにリード紐付きフック５ｃを引っ掛けることにより組み立てられるので、テント本体１の組み立ては容易となる。
【００３０】
なお、骨材用ロッド４は、図８（ａ）に示すように、寸法の短い複数のロッドピース４Ａからなり、複数のロッドピース４Ａが長手方向の端で一本に継ぎ合わせられる構成とされていると共に、図８（ｂ）に示すように、全ロッドピース４Ａを分離可能な構成とされている。すなわち、ロッドピース４Ａの端を、隣接するロッドピース４Ａの端に略半分の長さだけ差し込んで固定してある継手用ショートパイプ４Ｂに嵌め込むことにより、ロッドピース４Ａを継ぎ合わせることができ、ロッドピース４Ａの端を継手用ショートパイプ４Ｂから引き抜くことにより、ロッドピース４Ａどうしを分離できる。
【００３１】
したがって、骨材用ロッド４の使用時だけ、複数のロッドピース４Ａを長手方向の端で継ぎ合わせて一本にし、骨材用ロッド４の不使用時は複数のロッドピース４Ａを分離して短くした状態で、骨材用ロッド４を仕舞っておける。図８では、１本の骨材用ロッド４のロッドピース４Ａの本数が５本になっているが、１本の骨材用ロッド４のロッドピース４Ａの本数は５本に限らず、４本あるいは６本や７本であってもよい。
【００３２】
しかも、骨材用ロッド４は、両端のロッドピース４Ａに端が固定されている弾性スリング（例えばゴム紐）４Ｃが、骨材用ロッド４の内を一端から他端にわたって、一端と他端を引き付ける向きに牽引力を発生する状態で挿通されている。したがって、骨材用ロッド４は、ロッドピース４Ａを一本に継ぎ合せた時に、ロッドピース４Ａが抜け出し難く、逆にロッドピース４Ａを分離した時には、ロッドピース４Ａが散らばってしまうのを回避できる。
【００３３】
さらに、この組み立て式テントの場合、図９に示すように、例えばナイロンメッシュ製の４枚の虫避け用網状シート２が、各遊戯者用出入口１Ａ〜１Ｄにそれぞれ取り付けられる。虫避け用網状シート２は、遊戯者用出入口１Ａ〜１Ｄを遊戯者の出入りが可能となるようにして塞ぐ。すなわち、本実施形態では、虫避け用網状シート２は、遊戯者用出入口１Ａ〜１Ｄを虫避け用網状シート２の捲り上げが可能となるようにして塞ぐ構成とされている。
【００３４】
具体的には、４枚の虫避け用網状シート２は、テント本体１の各遊戯者用出入口１Ａ〜１Ｄの形状・大きさに合わせて整形されているのに加え、図２に示すように、虫避け用網状シート２には周縁部に沿って面ファスナー２ａが取着されており、図４に示すように、天幕シート５にはテント本体１における遊戯者用出入口１Ａ〜１Ｄの周縁部沿いとなる位置へ、面ファスナー５ｄが取着されている。
【００３５】
虫避け用網状シート２により遊戯者用出入口１Ａ〜１Ｄを塞ぐ際は、虫避け用網状シート２をテント本体１の遊戯者用出入口１Ａ〜１Ｄに合わせながら、虫避け用網状シート２とテント本体１の天幕シート５における遊戯者用出入口１Ａ〜１Ｄの周縁部に沿って取着されている面ファスナー２ａ，５ｄを結合させ、虫避け用網状シート２をテント本体１に取り付ければよい。
【００３６】
また、虫避け用網状シート２の捲り上げを可能とする際は、下側寄りに取着されている幾つかの面ファスナー２ａ，５ｄを引き剥がすことにより、虫避け用網状シート２とテント本体１との間の面ファスナー２ａ，５ｄの結合を部分的に解除して、虫避け用網状シート２をテント本体１から一部だけ取り外す。そして、遊戯者がテントを出入りする際は、遊戯者は虫避け用網状シート２を捲り上げることにより、遊戯者用出入口１Ａ〜１Ｄを通って容易に出入りできる。
【００３７】
このように、面ファスナー２ａ，５ｄの結合により虫避け用網状シート２がテント本体１に取り付けられることにより、虫避け用網状シート２が遊戯者用出入口１Ａ〜１Ｄを塞ぐと共に、面ファスナー２ａ，５ｄの結合の一部解除によって、虫避け用網状シートの捲り上げが可能となる。したがって、この組み立て式テントの場合、虫避け用網状シート２により遊戯者用出入口を塞ぐのも容易であるし、虫避け用網状シート２の捲り上げを可能とするのも容易である。
【００３８】
加えて、テント本体１の遊戯者用出入口１Ａ〜１Ｄは、その下側がテント本体１の設置面に対して開放されるようにして設けられ、遊戯者がテントを容易に出入りできる。もちろん、遊戯者用出入口１Ａ〜１Ｄの下側が開放されていても、虫避け用網状シート２が上方からテント本体１の設置面まで垂れ下がって来て遊戯者用出入口１Ａ〜１Ｄを塞ぐので、遊戯者用出入口１Ａ〜１Ｄから虫が侵入するのを防止できる。
【００３９】
以上に述べた本実施形態の組み立て式テントの場合、屋外の遊戯場所を覆って直射光を遮っているテント本体１に開いた遊戯者用出入口１Ａ〜１Ｄは、虫避け用網状シート２により遊戯者が出入り可能に塞がれる結果、テントの使用中、遊戯者用出入口１Ａ〜１Ｄからテント内に虫が侵入してくる恐れがなくなる。また、虫避け用網状シート２はテント内側から外側、あるいは外側から内側が透けて見えるので、虫避け用網状シート２がテント内から外を見たり、外からテント内を見たりする際に、虫避け用網状シートが妨げとなることもない。よって、この組み立て式テントによれば、テントの使用中にテント内に虫に加えてゴミ等をも侵入してくるのを適切に回避することができる。
【００４０】
続いて、実施形態の組み立て式テントの使い方を、ベランダや玄関先などで子供用の折り畳み式のプールを使って子供らが水浴びをして遊ぶ場合に即して説明する。この場合、上記のようにテント本体１を組み立ててから、図９に一点鎖線で示すように折り畳み式のプールＰをタライ状に広げ、テント内に入れて下敷きシート３の上へ置いてから水で満たすと共に、虫避け用網状シート２をテント本体１に取り付ける。
【００４１】
子供らは、虫避け用網状シート２を捲り挙げてテントを出入りしながらプールＰで水浴びをして遊ぶ。虫避け用網状シート２で遊戯者用出入口１Ａ〜１Ｄが塞がれていても、虫避け用網状シート２は向こう側が透けて見えるから、テントの中の子供らが閉塞感を持つこともなく、親など保護者もテントの外から子供らを見守ることができる。
【００４２】
上記のように、下敷きシート３の側に天幕シート５の側が結合されているので、下敷きシート３の上に置かれた水が満たされたプールＰで下敷きシート３が押さえ付けられることにより、下敷きシート３の側だけでなく天幕シート５の側も固定される結果、テントが風で飛ばされることもない。
【００４３】
プールＰは、例えばビニル樹脂製シートからなるが、プールＰの底と床面や地面の間に下敷きシート３が介在するので、プールＰの底が床面や地面の尖った処で損傷するのを防止できる。
【００４４】
また、プールＰは例えばビニル樹脂製シートからなる折り畳み式のプールであり、使用する時は空気注入口（図示省略）を開いて空気を十分に注入してから空気注入口を閉じることによりタライ状に拡げられ、使用を終える時は、水を排出してから空気注入口を開いて空気を放出することにより、平たくして折り畳まれる。また、この組み立て式テントの方も、上記とは逆の要領で分解されて畳まれる。
【００４５】
〔別実施の形態〕
（１）上記実施形態の場合、虫避け用網状シート２は面ファスナー２ａ，５ｄでテント本体１に取り付けられる構成であったが、虫避け用網状シート２はテント本体１に当初から一体的に取り付けられていて、虫避け用網状シート２とテント本体１との間、もしくは虫避け用網状シート２に通常のジッパータイプのファスナーが付けられていて、ファスナーを開くことによって、遊戯者用出入口を遊戯者が出入りできるようになる構成であってもよい。
（２）上記実施形態の場合、遊戯者用出入口が四方に設けられる構成であったが、遊戯者用出入口は正面だけ、あるいは正面と背面の二方だけに設けられる構成であってもよく、遊戯者用出入口は最低１箇所あれば、その数は限定されない。
（３）上記実施形態の場合、下敷きシート３の全体形状が略円形であったが、下敷きシートの全体形状はこの形状に限られず、例えば略十字形などであってもよい。
（４）上記実施形態の場合、下敷きシート３はエプロン３Ａ付きであったが、エプロンは必ずしも必要ではない。
（５）この考案の組み立て式テントは、単独商品でなくて折り畳み式のプールとセットで扱われる商品であってもよい。
（６）本実施形態の場合、折り畳み式のプールが子供らの水浴びに用いられる形態であったが、折り畳み式のプールは子供らの砂浴びに用いられてもよい。折り畳み式のプールが子供らの砂浴びに用いられる時は、プールの内に砂が入れられる。
【図面の簡単な説明】
【００４６】
【図１】本考案の一実施形態に係る組み立て式テントのテント本体の組み立て状態を示す斜視図
【図２】図１の組み立て式テントの虫避け用網状シートを示す平面図
【図３】図１のテント本体の下敷きシートを示す平面図
【図４】図１のテント本体の骨材用ロッドを示す平面図
【図５】図１のテント本体の天幕シートを示す平面図
【図６】図１のテント本体の下敷きシートのロッド係止孔への骨材用ロッドの端部の嵌め込み状態を示す部分立面図
【図７】図１のテント本体の下敷きシートのリード帯付きリングと天幕シートのリード紐付きフックの結合状態を示す部分斜視図
【図８】図１のテント本体の骨材用ロッドの詳細を示す図であって、（ａ）は骨材用ロッドを一本に継ぎ合わせた状態で示す平面図、（ｂ）は骨材用ロッドの分離状態を示す平面図
【図９】図１の組み立て式テント全体を組み立て状態で示す斜視図
【図１０】従来の組み立て式テント全体を組み立て状態で示す斜視図
【符号の説明】
【００４７】
１            テント本体
１Ａ〜１Ｄ    遊戯者用出入口
２            虫避け用網状シート
２ａ，５ｄ    面ファスナー
３            下敷きシート
５            天幕シート
【図１】
0003120489.tif 000003
【図２】
0003120489.tif 000004
【図３】
0003120489.tif 000005
【図４】
0003120489.tif 000006
【図５】
0003120489.tif 000007
【図６】
0003120489.tif 000008
【図７】
0003120489.tif 000009
【図８】
0003120489.tif 000010
【図９】
0003120489.tif 000011
【図１０】
0003120489.tif 000012